(57)【要約】  ＵＶ機能を備えた水システムは、水路（１）、水流センサー（２）、フィルタコアアセンブリ（３）、ＵＶ殺菌装置（４）、電磁弁（５）及び電気制御装置（６）を含む。電気制御装置（６）は、水流センサー（２）、ＵＶ殺菌装置（４）及び電磁弁（５）にそれぞれ電気的に接続される。電気制御装置（６）は、水流センサー（２）から送信された水流信号を受信し、水流信号に基づいて、ＵＶ殺菌装置（４）及び電磁弁（５）の動作を制御する。このＵＶ機能を備えた水システムは、水路において水流が通過する信号を検出すると、ＵＶ殺菌装置（４）及び電磁弁（５）を自動的にオンにする。逆に、水路において水流が通過する信号がない場合、ＵＶ殺菌装置（４）及び電磁弁（５）をオフにする。ＵＶ殺菌装置（４）が長時間オンになって、電力を消費し、寿命に影響を及ぼすことが防止される。電磁弁（５）は、水路を閉じることによって水路の二次汚染を防止することができる。水システム全体の構造は簡単で合理的である。ＵＶ機能を備えた水システムの制御方法がさらに開示される。
2020523185.tif 000002
【特許請求の範囲】
【請求項１】
ＵＶ機能を備えた水システムであって、水路（１）を含み、前記水路（１）は入水端（１１）及び出水端（１２）を含み、前記ＵＶ機能を備えた水システムは、水流センサー（２）と、フィルタコアアセンブリ（３）と、ＵＶ殺菌装置（４）と、電磁弁（５）と、電気制御装置（６）を更に含み、前記水流センサー（２）は、水路（１）に配置され、通過する水があるか否かの水流信号をリアルタイムで収集し、収集した水流信号を送信するために使用され、前記フィルタコアアセンブリ（３）は、水路（１）に配置され、流れる水を濾過し、前記ＵＶ殺菌装置（４）は、フィルタコアアセンブリ（３）と出水端（１２）の間の水路（１）に配置され、流れる水に対してＵＶ殺菌を行い、前記電磁弁（５）は、水路（１）に配置され、水流の量を制御するために使用され、前記電気制御装置（６）は、水流センサー（２）、ＵＶ殺菌装置（４）及び電磁弁（５）にそれぞれ電気的に接続され、電気制御装置（６）は、水流センサー（２）から送信された水流信号を受信し、水流信号に基づいて、ＵＶ殺菌装置（４）及び電磁弁（５）の動作を制御する、ことを特徴とするＵＶ機能を備えた水システム。
【請求項２】
前記ＵＶ殺菌装置（４）は冷陰極ＵＶ殺菌ランプである、ことを特徴とする請求項１に記載のＵＶ機能を備えた水システム。
【請求項３】
前記電磁弁（５）は、ＵＶ殺菌装置（４）と出水端（１２）の間の水路（１）に配置される、ことを特徴とする請求項１に記載のＵＶ機能を備えた水システム。
【請求項４】
前記電磁弁（５）は常時閉型の電磁弁である、ことを特徴とする請求項１又は３に記載のＵＶ機能を備えた水システム。
【請求項５】
前記水流センサー（２）は、入水端（１１）とフィルタコアアセンブリ（３）の間の水路（１）に配置される、ことを特徴とする請求項１に記載のＵＶ機能を備えた水システム。
【請求項６】
前記水流センサー２とフィルタコアアセンブリ３の間には逆止弁７が更に設けられる、ことを特徴とする請求項５に記載のＵＶ機能を備えた水システム。
【請求項７】
前記入水端（１１）とフィルタコアアセンブリ（３）の間の水路（１）には逆止弁（７）が更に設けられる、ことを特徴とする請求項１に記載のＵＶ機能を備えた水システム。
【請求項８】
前記フィルタコアアセンブリ（３）の底部には入水口（３１）及び出水口（３２）が設けられ、フィルタコアアセンブリ（３）は、入水口（３１）及び出水口（３２）を介して前記水路（１）に直列に接続される、ことを特徴とする請求項１に記載のＵＶ機能を備えた水システム。
【請求項９】
前記フィルタコアアセンブリ（３）は、前置フィルタコア群（３３）及び限外濾過フィルタコア（３４）を含み、前記前置フィルタコア群（３３）は、２つ以上のフィルタコア材料からなる内外の両層又は多層のフィルタコア層を含み、水は、入水口（３１）から前置フィルタコア群（３３）に進入し、限外濾過フィルタコア（３４）を通過して、出水口（３２）から流出する、ことを特徴とする請求項１に記載のＵＶ機能を備えた水システム。
【請求項１０】
水流センサー（２）は、水路（１）を流れる水流信号をリアルタイムで収集して、水流信号を電気制御装置（６）に送信し、電気制御装置（６）は、予め設定されたソフトウェアプログラムに従って水流信号を判断して、ＵＶ殺菌装置（４）と電磁弁（５）の動作を制御する、ことを特徴とする請求項１に記載のＵＶ機能を備えた水システム。
【発明の詳細な説明】
【技術分野】
【０００１】
本発明は、水システムに関し、特にＵＶ機能を備えた水システム及びその制御方法に関する。
【背景技術】
【０００２】
既存の水システムは、特に水濾過（浄化）システム（例えば、浄水器）では、水が１つ以上の層で濾過された後、ユーザが飲むために水が出水端から直接排出される。しかしながら、上記の従来の水システムには、まだ次のような欠点がある。（１）水を濾過するだけで、水中の細菌などの不純物を効果的に抑制又は除去することができない。（２）水システムでは、通過する水流がない（動作していない）場合、ＵＶ殺菌装置が長時間オンになると、電力を消費し、ＵＶ殺菌装置の使用寿命に影響を及ぼす。（３）また、水路に通過する水流がない場合、水路をタイムリーに遮断する（例えば、出水端を閉じる）ことができず、水路の端部（例えば、フィルタコアアセンブリの後の水路）は二次汚染を受けやすくなる。
【発明の概要】
【発明が解決しようとする課題】
【０００３】
本発明の目的は、上記の従来技術における欠点を克服し、次のような水システムを提供することである。この水システムは、簡単かつ合理的な構造を有し、水中の細菌などの不純物を効果的に抑制又は除去しており、且つ電気エネルギーを節約し寿命を延長し二次汚染を防止するために、水流が通過する場合のみＵＶ殺菌装置が動作することができる。
【０００４】
本発明の別の目的は、ＵＶ殺菌装置及び電磁弁の動作を自動的に制御する水システムの制御方法を提供することである。
【０００５】
本発明の目的は、次のように実現される。
【０００６】
ＵＶ機能を備えた水システムは水路を含み、水路は入水端及び出水端を含み、該ＵＶ機能を備えた水システムは、水流センサーと、フィルタコアアセンブリと、ＵＶ殺菌装置と、電磁弁を更に含む。
【０００７】
水流センサーは、水路に配置され、通過する水があるか否かの水流信号をリアルタイムで収集し、収集した水流信号を送信するために使用される。
【０００８】
フィルタコアアセンブリは、水路に配置され、流れる水を濾過する。
【０００９】
ＵＶ殺菌装置は、フィルタコアアセンブリと出水端の間の水路に配置され、流れる水に対してＵＶ殺菌を行う。
【００１０】
電磁弁は、水路に配置され、水流の量を制御するために使用される。
【００１１】
前記電気制御装置は、水流センサー、ＵＶ殺菌装置及び電磁弁にそれぞれ電気的に接続される。電気制御装置は、水流センサーから送信された水流信号を受信し、水流信号に基づいて、ＵＶ殺菌装置及び電磁弁の動作を制御する。このＵＶ機能を備えた水システムは、水路に水流センサー、ＵＶ殺菌装置及び電磁弁を追加し、電気制御装置の制御を利用することによって、水中の細菌などの不純物を効果的に抑制又は除去する。また、このＵＶ機能を備えた水システムは、水路において水流が通過する信号を検出すると、ＵＶ殺菌装置及び電磁弁を自動的にオンにし、逆に、水路において水流が通過する信号がない場合、ＵＶ殺菌装置及び電磁弁をオフにする。ＵＶ殺菌装置が長時間オンになって、電力を消費し、寿命に影響を及ぼすことが防止される。電磁弁は、水路を閉じることによって水路の二次汚染を防止することができる。水システム全体の構造は簡単で合理的である。
【００１２】
より具体的な解決策は次のとおりである。
【００１３】
さらに、前記ＵＶ殺菌装置は、冷陰極ＵＶ殺菌ランプである。それは、動作の安定性がよく、使用寿命が長い。
【００１４】
さらに、前記電磁弁は、ＵＶ殺菌装置と出水端の間の水路に配置され、流出しようとする水がすべてＵＶ殺菌されるようにする。
【００１５】
さらに、前記電磁弁は、常時閉型の電磁弁である。即ち、水路が静止している場合、電磁弁は常に閉じている。水流センサーが水流通過信号を感知した場合のみ、電気制御装置は、常時閉型の電磁弁をオンにして水路（出水端）を開くように制御する。
【００１６】
さらに、前記水流センサーは、入水端とフィルタコアアセンブリの間の水路に配置される。即ち、水流センサーは、フィルタコアアセンブリに進入しようとする水流の信号をリアルタイムで感知することができる。
【００１７】
さらに、前記水流センサーとフィルタコアアセンブリの間には逆止弁が更に設けられて、水流の順序を保証し、フィルタコアアセンブリが逆圧下で逆流するのを防止する。
【００１８】
逆止弁については、別の案を採用してもよい。前記水流センサーとフィルタコアアセンブリの間には逆止弁が更に設けられ、水流の順序を保証し、フィルタコアアセンブリが逆圧下で逆流するのを防止する。
【００１９】
さらに、前記フィルタコアアセンブリの底部には入水口及び出水口が設けられ、フィルタコアアセンブリは、入水口及び出水口を介して前記水路に直列に接続される。水路内の水を必ずフィルタコアアセンブリによって濾過することが保証される。さらに、底部の入水口と出水口の設計は、フィルタコアアセンブリの水路への設置をさらに便利にする。即ち、接続がより容易になる。
【００２０】
さらに、前記フィルタコアアセンブリは、前置フィルタコア群及び限外濾過フィルタコアを含む。前記前置フィルタコア群は、２つ以上のフィルタコア材料からなる内外の両層又は多層のフィルタコア層を含む。水は、入水口から前置フィルタコア群に進入し、限外濾過フィルタコアを通過して、出水口から流出する。即ち、フィルタコアアセンブリは複合フィルタコアであり、濾過効果の向上にさらに役立つ。
【００２１】
本発明の別の目的は、次のように実現される。
【００２２】
ＵＶ機能を備えた水システムの制御方法では、水流センサーは、水路を流れる水流信号をリアルタイムで収集して、水流信号を電気制御装置に送信し、電気制御装置は、予め設定されたソフトウェアプログラムに従って水流信号を判断して、ＵＶ殺菌装置と電磁弁の動作を制御する。水システムのインテリジェントな自動制御を実現し、水中の細菌などの不純物を効果的に抑制又は除去し、ＵＶ殺菌装置の長時間オンになることを防止するために、電磁弁は自動的に水路を閉じて二次汚染を防止する。
【００２３】
本発明の有益な効果は以下の通りである。
【００２４】
（１）このＵＶ機能を備えた水システムは、水路に水流センサー、ＵＶ殺菌装置及び電磁弁を追加し、電気制御装置の制御を利用することによって、水中の細菌などの不純物を効果的に抑制又は除去する。また、このＵＶ機能を備えた水システムは、水路において水流が通過する信号を検出すると、ＵＶ殺菌装置及び電磁弁を自動的にオンにし、逆に、水路において水流が通過する信号がない場合、ＵＶ殺菌装置及び電磁弁をオフにする。ＵＶ殺菌装置が長時間オンになって、電力を消費し、寿命に影響を及ぼすことが防止される。電磁弁は、水路を閉じることによって水路の二次汚染を防止することができる。水システム全体の構造は簡単で合理的である。
【００２５】
（２）また、水路に逆止弁を追加することにより、水流の順序を保証し、フィルタコアアセンブリが逆圧下で逆流するのを防止する。
【００２６】
（３）さらに、フィルタコアアセンブリの底部に入水口と出水口を配置することにより、フィルタコアアセンブリの水路への設置がより便利になる。即ち、接続がより容易になる。さらに、フィルタコアアセンブリは複合フィルタコアであり、濾過効果の向上にさらに役立つ。
【図面の簡単な説明】
【００２７】
【図１】本発明のＵＶ機能を備えた水システムの原理図である。
【発明を実施するための形態】
【００２８】
以下、図面及び実施例を参照しながら本発明を更に説明する。
【００２９】
図１に示すように、ＵＶ機能を備えた水システムは水路１を含み、前記水路１は入水端１１及び出水端１２を含む。前記ＵＶ機能を備えた水システムは、水流センサー２と、フィルタコアアセンブリ３と、ＵＶ殺菌装置４と、電磁弁５と、電気制御装置６を更に含む。
【００３０】
水流センサー２は、水路１に配置され、通過する水があるか否かの水流信号をリアルタイムで収集し、収集した水流信号を送信するために使用される。
【００３１】
フィルタコアアセンブリ３は、水路１に配置され、流れる水を濾過する。
【００３２】
ＵＶ殺菌装置４は、フィルタコアアセンブリ３と出水端１２の間の水路１に配置され、流れる水に対してＵＶ殺菌を行う。
【００３３】
電磁弁５は、水路１に配置され、水流の量を制御するために使用される。
【００３４】
電気制御装置６は、水流センサー２、ＵＶ殺菌装置４及び電磁弁５にそれぞれ電気的に接続され、電気制御装置６は、水流センサー２から送信された水流信号を受信し、水流信号に基づいて、ＵＶ殺菌装置４及び電磁弁５の動作を制御する。
【００３５】
本発明の実施例では、前記ＵＶ殺菌装置４は冷陰極ＵＶ殺菌ランプであってもよい。前記電磁弁５は常時閉型の電磁弁であり、ＵＶ殺菌装置４と出水端１２の間の水路１に配置される。
【００３６】
前記水流センサー２は、入水端１１とフィルタコアアセンブリ３の間の水路１に配置される。水流センサー２とフィルタコアアセンブリ３の間には逆止弁７がさらに設けられる。当然のことながら、逆止弁７は、逆流を防止するように、入水端１１とフィルタコアアセンブリ３の間の水路１に配置されてもよい。
【００３７】
フィルタコアアセンブリ３の着脱を容易にするために、前記フィルタコアアセンブリ３の底部には入水口３１及び出水口３２が設けられ、フィルタコアアセンブリ３は、入水口３１及び出水口３２を介して前記水路１に直列に接続される。
【００３８】
前記フィルタコアアセンブリ３は、前置フィルタコア群３３及び限外濾過フィルタコア３４を含む。前記前置フィルタコア群３３は、２つ以上のフィルタコア材料からなる内外の両層又は多層のフィルタコア層を含む。水は、入水口３１から前置フィルタコア群３３に進入し、限外濾過フィルタコア３４を通過して、出水口３２から流出する。
【００３９】
ＵＶ機能を備えた水システムの制御方法では、水流センサー２は、水路１を流れる水流信号をリアルタイムで収集して、水流信号を電気制御装置６に送信し、電気制御装置６は、予め設定されたソフトウェアプログラムに従って水流信号を判断して、ＵＶ殺菌装置４と電磁弁５の動作を制御する。
【００４０】
動作原理は次のとおりである。水流センサー２は、水路１において水流が通過する信号を検出すると、ＵＶ殺菌装置４及び電磁弁５を自動的にオンにし、逆に、水路１において水流が通過する信号がない場合、ＵＶ殺菌装置４及び電磁弁５をオフにする。ＵＶ殺菌装置４が長時間オンになって、電力を消費し、使用寿命に影響を及ぼすことが防止される。電磁弁５は、水路１を閉じることによって、水路１（フィルタコアアセンブリ３と出水端１２の水路の最終の部分）の二次汚染を防止することができる。水システム全体の構造は簡単で合理的である。
【図１】
2020523185.tif 000003
【国際調査報告】
2020523185.tif 000004
2020523185.tif 000005
2020523185.tif 000006
2020523185.tif 000007
2020523185.tif 000008
2020523185.tif 000009